(57)【要約】【課題】法律上定められた安全基準を満たした簡単な構成を有するとともに、容易に壁部のスイッチボックスに取り付けることのできる照明装置を提供する。【解決手段】壁部に設けられたスイッチボックス５０のネジ孔にネジ挿通孔１２ａ〜１２ｄを介してネジ固定される基材１０と、基材１０の一面１０ａに固定されるとともにスイッチボックス５０内に嵌入され、スイッチボックス５０内において電源と電気的に接続される電源ユニットと、基材１０の他面１０ｂに対し開閉自在な、電源ユニットに配線を介して電気的に接続されているとともに、閉成された状態においてネジ挿通孔１２ａ〜１２ｄを塞ぎ、開成された状態においてネジ挿通孔１２ａ〜１２ｄを露出させ、スイッチボックス５０よりも大きな光源ユニット２０と、光源ユニット２０が閉成された際、他面１０ｂに光源ユニットを固定する固定部材とを具備している。【選択図】図１
2015122215.tif 000002
【特許請求の範囲】
【請求項１】
ネジ挿通孔が形成されるとともに、壁部に設けられたスイッチボックスのネジ孔に前記ネジ挿通孔を介してネジ固定される基材と、
前記基材の一面に固定されるとともに前記スイッチボックス内に嵌入され、前記スイッチボックス内において電源と電気的に接続される電源ユニットと、
前記基材における前記一面と反対側の他面に対し一端が回動自在に軸支されることにより開閉自在な、前記電源ユニットに配線を介して電気的に接続されているとともに、閉成された状態において前記ネジ挿通孔を塞ぎ、開成された状態において前記ネジ挿通孔を露出させ、さらに、前記基材の前記他面を平面視した状態において、前記スイッチボックスよりも大きい外形を有する光源ユニットと、
前記基材と前記光源ユニットの他端との少なくとも一方に設けられた、前記光源ユニットが閉成された際、前記他面に前記光源ユニットの前記他端を固定する固定部材と、
を具備していることを特徴とする照明装置。
【発明の詳細な説明】
【技術分野】
【０００１】
本発明は、壁部に固定される照明装置に関する。
【背景技術】
【０００２】
従来、廊下等に面した壁部における床面側の下部に設けられ、廊下を通行する歩行者の足下を照明する照明装置が周知である。
【０００３】
特許文献１には、ボディに対し、白熱ランプの交換が行いやすいよう開閉自在にボディよりも外形の小さい光源ユニットであるランプユニットランプが固定されるとともに、ランプユニットがリード線を介して電気的に接続されたプリント基板がボディにネジ固定され、さらにボディにカバーが被覆された照明装置が開示されている。
【０００４】
また、特許文献１の照明装置では、プリント基板に電気的に接続されるとともにボディに形成された挿通孔から露出された端子板に電源が電気的に接続され、ボディの外周に係止された取付枠が、壁部に埋設されたスイッチボックスのネジ孔にネジ固定されることによって壁部に固定される構成が開示されている。
【先行技術文献】
【特許文献】
【０００５】
【特許文献１】特開平８−１６７４８０号公報
【発明の概要】
【発明が解決しようとする課題】
【０００６】
しかしながら特許文献１に開示された照明装置は、該照明装置を構成する部品数が多く構成が複雑であり、照明装置の組み立て作業が大変煩雑であるばかりか、ボディの外周に取付枠を係止させた後、スイッチボックスへ取り付けなければならず、スイッチボックスへの取付作業が大変煩雑であるといった問題があった。
【０００７】
尚、スイッチボックスへの照明装置の取付作業は暗所で行われる場合が多いことから、容易にスイッチボックスへ照明装置を取り付けることのできる構成が望まれていた。
【０００８】
さらに、特許文献１では、ボディ内にランプユニットが固定され、さらにボディの外周に係止された取付枠に形成されたネジ挿通孔を介して、スイッチボックスのネジ孔に照明装置がネジ固定される構成を有している。
【０００９】
ここで、スイッチボックスの大きさ及びネジ孔の位置はＪＩＳ規定によって決められていることから、照明装置が取付枠、即ちスイッチボックスよりも小型にならざるを得ず、スイッチボックスよりも大型のランプユニット、即ち光源ユニットを固定することができないといった問題もあった。
【００１０】
よって、スイッチボックスよりも大型の光源ユニットを固定するため、壁部に直接、照明装置をネジ固定する構成が考えられるが、この場合、固定作業が煩雑になってしまうといった問題があった。
【００１１】
さらに、スイッチボックスよりも大型の光源ユニットを固定するため、電源が電気的に接続される電源ユニットを具備する基材をスイッチボックスにネジ固定し、基材に大型の光源ユニットを固定する構成が考えられる。
【００１２】
しかしながらこの構成では、基材に設けられるとともに電源ユニットに電気的に接続された電気コネクタに対して光源ユニットを別途電気的に接続する作業及び構成が必要となるため、取り付け作業が繁雑になる他、外部に露出された電源コネクタに光源ユニットを電気的に接続する構成となってしまう。よって、電気用品安全法上の所定の電気絶縁性の基準を満たす安全基準の確保が難しくなってしまうといった問題もあった。
【００１３】
本発明は、上記問題点及び事情に鑑みてなされたものであり、法律上定められた安全基準を満たした簡単な構成を有するとともに、容易に壁部のスイッチボックスに取り付けることのできる照明装置を提供することを目的とする。
【課題を解決するための手段】
【００１４】
上記目的を達成するために本発明の一態様における照明装置は、ネジ挿通孔が形成されるとともに、壁部に設けられたスイッチボックスのネジ孔に前記ネジ挿通孔を介してネジ固定される基材と、前記基材の一面に固定されるとともに前記スイッチボックス内に嵌入され、前記スイッチボックス内において電源と電気的に接続される電源ユニットと、前記基材における前記一面と反対側の他面に対し一端が回動自在に軸支されることにより開閉自在な、前記電源ユニットに配線を介して電気的に接続されているとともに、閉成された状態において前記ネジ挿通孔を塞ぎ、開成された状態において前記ネジ挿通孔を露出させ、さらに、前記基材の前記他面を平面視した状態において、前記スイッチボックスよりも大きい外形を有する光源ユニットと、前記基材と前記光源ユニットの他端との少なくとも一方に設けられた、前記光源ユニットが閉成された際、前記他面に前記光源ユニットの前記他端を固定する固定部材と、を具備している。
【発明の効果】
【００１５】
本発明によれば、法律上定められた安全基準を満たした簡単な構成を有するとともに、容易に壁部のスイッチボックスに取り付けることのできる照明装置を提供することができる。
【図面の簡単な説明】
【００１６】
【図１】本実施の形態における照明装置を、光源ユニットが開成されている状態でスイッチボックスとともに示す分解斜視図
【図２】図１の基材及び光源ユニットを図１中のII方向からみた正面図
【図３】図１の基材及び光源ユニットを図１中のIII方向からみた上面図
【図４】図１の基材及び光源ユニットを、光源ユニットが閉成されている状態で示す斜視図
【図５】図４の基材及び光源ユニットを図４中のV方向からみた正面図
【図６】図４の基材及び光源ユニットを図４中のVI方向からみた上面図
【図７】図１のスイッチボックスが壁部に埋設されている状態を示す平面図
【発明を実施するための形態】
【００１７】
以下、図面を参照して本発明の実施の形態を説明する。
【００１８】
図１は、本実施の形態における照明装置を、光源ユニットが開成されている状態でスイッチボックスとともに示す分解斜視図、図２は、図１の基材及び光源ユニットを図１中のII方向からみた正面図、図３は、図１の基材及び光源ユニットを図１中のIII方向からみた上面図である。
【００１９】
また、図４は、図１の基材及び光源ユニットを、光源ユニットが閉成されている状態で示す斜視図、図５は、図４の基材及び光源ユニットを図４中のV方向からみた正面図、図６は、図４の基材及び光源ユニットを図４中のVI方向からみた上面図、図７は、図１のスイッチボックスが壁部に埋設されている状態を示す平面図である。
【００２０】
図１、図３に示すように、照明装置１は、基材１０と、光源ユニット２０と、カバー３０と、電源ユニット４０とから主要部が構成されている。
【００２１】
図１〜図６に示すように、基材１０は、例えば金属から構成された薄板状の板状部材から構成されており、厚み方向Ａから平面視した形状が幅方向Ｃに横長な矩形状を有している。
【００２２】
また、図１、図２に示すように、基材１０の中央部には、それぞれ厚み方向Ａから平面視した形状が矩形状の例えば４つの配線挿通孔１３ａ、１３ｂ、１３ｃ、１３ｄが、基材１０を厚み方向Ａに貫通するとともに該４つの配線挿通孔１３ａ〜１３ｄにて中央部を取り囲むよう形成されている。尚、配線挿通孔の数は４つに限定されず、１つであっても良いばかりか幾つでも構わない。
【００２３】
また、基材１０の中央部において、配線挿通孔１３ａよりも高さ方向Ｂの上方かつ幅方向Ｃにおいて配線挿通孔１３ａを挟む位置に、それぞれ後述するネジ１６ａ、１６ｂが挿通されるとともに厚み方向Ａから平面視した形状が幅方向Ｃに沿って細長な楕円状の２つのネジ挿通孔１２ａ、１２ｂが基材１０を厚み方向Ａに貫通するようそれぞれ形成されている。
【００２４】
さらに、配線挿通孔１３ｃよりも高さ方向Ｂの下方かつ幅方向Ｃにおいて配線挿通孔１３ｃを挟む位置にも、それぞれ後述するネジ１６ｃ、１６ｄ（ネジ１６ｄは不図示）が挿通されるとともに厚み方向Ａから平面視した形状が幅方向Ｃに沿って細長な楕円状の２つのネジ挿通孔１２ｃ、１２ｄが基材１０を厚み方向Ａに貫通するようそれぞれ形成されている。尚、ネジ挿通孔の数は４つに限定されない。
【００２５】
さらに、基材１０の中央部において、４つの配線挿通孔１３ａ〜１３ｄによって囲まれた領域の略角部には、後述するネジ１７が挿通される図示しない４つの挿通孔が、基材１０を厚み方向Ａに貫通するようそれぞれ形成されている。尚、ネジ１７が挿通される挿通孔も４つに限定されない。
【００２６】
基材１０の一面１０ａに、電源ユニット４０が固定されている。具体的には、基材１０に形成された上述した４つの挿通孔に挿通された各ネジ１７により、一面１０ａに電源ユニット４０はネジ固定されている。
【００２７】
電源ユニット４０は、壁部７０（図７参照）に埋設されたスイッチボックス５０の内部５０ｉに嵌入自在な大きさを有する箱状の外形を有しており、外表面に、内部５０ｉにおいて、例えば１００Ｖの電源が電気的に接続される図示しない電気コネクタ受け部が形成されている。
【００２８】
また、電源ユニット４０の内部には、光源ユニット２０や後述する人感センサ６１に電力を供給したり、人感センサ６１の検知結果に基づき光源ユニット２０に電力の供給／非供給を切り替えたり等する各種電気基板等が設けられている。
【００２９】
ここで、図７に示すように、スイッチボックス５０は、壁部７０に埋設されて設けられるものであり、図１に示すように、厚み方向Ａから平面視した形状が矩形状の箱状を有して、ＪＩＳ規格によって定められた形状、大きさに構成されている。
【００３０】
また、スイッチボックス５０の外周面及び厚み方向Ａの背面には、スイッチボックス５０の内部に電源ケーブル等の複数の配線を導入する複数の導入孔５１が形成されており、導入孔５１を介して内部５０ｉに導入された電源ケーブルの電気コネクタが、内部５０ｉに嵌入された電源ユニット４０の図示しない電気コネクタ受けに電気的に接続される。
【００３１】
また、スイッチボックス５０は、厚み方向Ａの前方の前面５０ｂの中央部に、内部５０ｉに電源ユニット４０を嵌入させる電源ユニット４０の外形よりも大きな開口５０ｋが形成されており、さらに、前面５０ｂに、開口５０ｋを囲むように厚み方向Ａの前方に突出する枠状の突出部５０ｔが形成されている。
【００３２】
尚、スイッチボックス５０は、図７に示すように壁部７０に対し、突出部５０ｔの突出面５０ｔｂ及び後述するネジボス５２ａ〜５２ｄ及びネジ孔５２ｈａ〜５２ｈｄのみ壁部７０から露出されるよう埋設される。具体的には、突出面５０ｔｂ及びネジ孔５２ｈａ〜５２ｈｄと壁部７０の壁面７０ｔとが略同一面となるよう壁部に埋設される。
【００３３】
さらに、図１、図７に示すように、枠状の突出部５０ｔの内周面において高さ方向Ｂの上部に、該上部の内周面から高さ方向Ｂの下方に突出するとともに幅方向ＣにおいてＪＩＳ規格で定められた設定間隔を有する、ネジ孔５２ｈａ、５２ｈｂがそれぞれ形成されたネジボス５２ａ、５２ｂがそれぞれ形成されている。
【００３４】
また、枠状の突出部５０ｔの内周面において高さ方向Ｂの下部にも、該下部の内周面から高さ方向Ｂの上方に突出するとともに幅方向ＣにおいてＪＩＳ規格で定められた設定間隔を有する、ネジ孔５２ｈｃ、５２ｈｄがそれぞれ形成されたネジボス５２ｃ、５２ｄがそれぞれ形成されている。
【００３５】
尚、各ネジ孔５２ｈａ〜５２ｈｄには、内部５０ｉに電源ユニット４０が嵌入された際、電源ユニット４０が一面１０ａに固定された基材１０のネジ挿通孔１２ａ〜１２ｄが略対向する。
【００３６】
よって、各ネジ孔５２ｈａ〜５２ｈｄの位置は、図１、図７の位置に限定されず、基材１０に対するネジ挿通孔１２ａ〜１２ｄの形成位置に応じて設定すれば良い。また、各ネジ孔の個数も４つに限定されず、ネジ挿通孔と同数であれば良い。
【００３７】
基材１０は、スイッチボックス５０の内部５０ｉに電源ユニット４０が嵌入された後、スイッチボックス５０にネジ固定される。
【００３８】
具体的には、基材１０は、ネジ挿通孔１２ａに挿通されたネジ１６ａがネジ孔５２ｈａに螺合され、ネジ挿通孔１２ｂに挿通されたネジ１６ｂがネジ孔５２ｈｂに螺合され、ネジ挿通孔１２ｃに挿通されたネジ１６ｃがネジ孔５２ｈｃに螺合され、ネジ挿通孔１２ｄに挿通されたネジ１６ｄがネジ孔５２ｈｄに螺合されるのみにより、スイッチボックス５０にネジ固定される。
【００３９】
また、図１〜図６に示すように、基材１０の一面１０ａとは反対側の他面１０ｂに、光源ユニット２０が開閉自在に軸支されている。
【００４０】
具体的には、光源ユニット２０は、厚み方向Ａにおいて薄板状に形成されるとともに、厚み方向Ａから平面視した形状が、図４、図５に示すように幅方向Ｃに長い矩形状となる箱状に形成されており、内部に、ＬＥＤ等の光源や該光源駆動用の基板等が設けられている。
【００４１】
また、図１〜図６に示すように、光源ユニット２０は、他面１０ｂを厚み方向Ａから平面視した状態において、図２に示すような４つのネジ挿通孔１２ａ〜１２ｄを囲む領域Ｒよりも大きい外形、具体的には、基材１０よりも若干小さな外形を有している。尚、光源ユニット２０は、基材１０と同じ大きさの外形に形成されていても基材１０よりも大きな外形に形成されていても構わない。
【００４２】
また、光源ユニット２０は、幅方向Ｃの一端２０ｅが他面１０ｂの幅方向Ｃの一端側にヒンジ１１等を介して回動自在に軸支されることにより、図１〜図６に示すように開閉自在となっている。より具体的には、光源ユニット２０の背面が他面１０ｂと対向する図４〜図６に示す閉位置と、光源ユニット２０が、他面１０ｂから起立する図１〜図３に示す開位置とに開閉自在となっている。尚、光源ユニット２０を開閉する構成は、ヒンジ１１に限定されず、他の構成であっても構わない。
【００４３】
また、光源ユニット２０は、図１〜図３に示す開位置においては、図１、図２に示すように、ネジ挿通孔１２ａ〜１２ｄを基材１０の前面から露出させ、図４〜図６に示す閉位置においては、ネジ挿通孔１２ａ〜１２ｄを塞ぐよう構成されている。
【００４４】
さらに、光源ユニット２０は、図４〜図６に示す閉位置においては、図３、図６に示すように、光源ユニット２０の他端２０ｆの背面に設けられた固定部材であるマグネット２９と、基材１０の他面１０ｂにおいて、光源ユニット２０の閉位置におけるマグネット２９の対向位置に設けられた固定部材であるマグネット１９とが磁力によって引き合うことにより、他面１０ｂに他端２０ｆが固定される。即ち、光源ユニット２０の閉位置が固定される。
【００４５】
尚、固定部材は、マグネットに限定されず、他面１０ｂに他端２０ｆを固定できる部材であればどのようなものでも良く、例えば内ラッチや、フック、ネジ等であっても構わない。また、固定部材は、固定構成によっては、他面１０ｂと光源ユニット２０の他端２０ｆとの双方に設ける必要は無く、いずれか一方のみに設けられていても構わない。
【００４６】
また、図２、図３に示すように、光源ユニット２０は、基材１０に形成された配線挿通孔１３ｄに挿通された配線２２を介して、基材１０の一面１０ａに固定された電源ユニット４０に電気的に接続されている。
【００４７】
尚、配線２２は、伸縮性を有する絶縁チューブによって覆われていることから、光源ユニット２０の開閉に伴い断線してしまうことが防がれている。また、配線挿通孔１３ｄは、配線２２を除いては充填剤にて埋められている。
【００４８】
また、図１〜図５に示すように、基材１０の他面１０ｂにおいて、配線挿通孔１３ｃよりも高さ方向Ｂの下方の位置に、既知の人感センサ６１を具備する人感センサユニット６０が設けられている。
【００４９】
人感センサユニット６０は、図２に示すように、基材１０に形成された配線挿通孔１３ｃに挿通された絶縁チューブによって覆われた配線６２を介して、基材１０の一面１０ａに固定された電源ユニット４０に電気的に接続されている。尚、人感センサ６０は、照明装置１に必ずしも設けられていなくても良い。
【００５０】
尚、配線挿通孔１３ｃは、配線６２を除いては充填剤にて埋められている。また、使用されていない配線挿通孔１３ａ、１３ｂも充填剤によって埋められている。
【００５１】
人感センサ６１は、照明装置１が廊下に面した壁部７０に設置された際、廊下を通行する歩行者を赤外線を用いて検知するものであり、人感センサ６１の検知結果に基づいて光源ユニット２０内に設けられた光源から照明光が廊下の床面に照射される。
【００５２】
尚、本実施の形態においては、光源ユニット２０からの照明光の照射は、人感センサ６１を用いた検知に限定されず、マニュアルスイッチのオン操作によって行われても構わない。この場合、マニュアルスイッチは、法律上の安全基準を満たすため、照明装置１から離れた場所、例えば壁部７０に埋設される。また、マニュアルスイッチから延出された配線は、スイッチボックス５０の導入孔５１を介して、内部５０ｉにて電源ユニットに電気的に接続される。
【００５３】
また、図１〜図６に示すように、基材１０の高さ方向Ｂの上部には、幅方向Ｃに設定間隔を有して離間するとともに厚み方向Ａに前方に突出する２つのカバー固定部１５が形成されており、上部の各カバー固定部１５には、ネジ孔１５ｈが各カバー固定部１５を高さ方向Ｂに貫通するよう形成されている。
【００５４】
さらに、基材１０の高さ方向Ｂの下部にも、幅方向Ｃに設定間隔を有して離間するとともに厚み方向Ａに前方に突出する２つのカバー固定部１５が形成されており、下部の各カバー固定部１５にも、ネジ孔１５ｈが各カバー固定部１５を高さ方向Ｂに貫通するよう形成されている。尚、ネジ孔１５ｈは、４個に限定されない。
【００５５】
図１に示すように、カバー３０は、基材１０の外周面及び前面、閉状態の光源ユニット２０の外周面及び前面を覆うものであり、閉状態の光源ユニット２０の照明光の照射面に対向する位置に半透明状の光拡散板３１が設けられているとともに、人感センサユニット６０に対向する位置に、半透明状の保護板３２が設けられている。
【００５６】
尚、カバー３０は、基材１０に対して着脱自在である。
【００５７】
着脱自在な構成の一例を挙げると、カバー３０の外周面の上面には、幅方向Ｃに設定間隔を有して、具体的には、基材１０の上部の各カバー固定部１５のネジ孔１５ｈと同じ間隔を有して、上面を高さ方向Ｂに貫通する２つの貫通孔３０ｈが形成されている。
【００５８】
また、カバー３０の外周面の下面にも、幅方向Ｃに設定間隔を有して、具体的には、基材１０の下部の各カバー固定部１５のネジ孔１５ｈと同じ間隔を有して、下面を高さ方向Ｂに貫通する２つの図示しない貫通孔３０ｈが形成されている。尚、貫通孔３０ｈの個数も４つに限定されず、ネジ孔１５ｈと同数であれば良い。
【００５９】
カバー３０は、基材１０の外周面及び前面、閉状態の光源ユニット２０の外周面及び前面を覆った後、各４つの貫通孔３０ｈを介して、各４つのネジ孔１５ｈに４つのネジ３７が螺合されることにより、基材１０に対して固定される。
【００６０】
尚、カバー３０は、基材１０に対してネジ固定以外の構成、例えばフックを用いた係止等によって着脱自在であっても構わない。
【００６１】
また、照明装置１は、基材１０に対してカバー３０が着脱自在な構成を有していることにより、基材１０に対して、色、形等の異なる複数種類のカバーが着脱自在となっている。このことから、光源ユニット２０が無照明状態においても、照明装置１の設置位置における外観を、使用者の好みに応じて可変することができる。尚、カバーに対する着色は、例えば蒸着が用いられることにより、カバーに着色がなされていてもカバー表面に傷等が付着し難くなっている。
【００６２】
次に、本実施の形態の作用について、具体的には、照明装置１のスイッチボックス５０への取り付け方法について簡単に説明する。
【００６３】
先ず、作業者は、導入孔５１を介してスイッチボックス５０の内部５０ｉに導入された電源ケーブルの電気コネクタを、開口５０ｋからスイッチボックス５０外へと引き出し、その後、基材１０の一面１０ａに固定された電源ユニット４０の上述した電気コネクタ受けに、電源ケーブルの電気コネクタを電気的に接続する。
【００６４】
尚、この状態においては、既に、電源ユニット４０と光源ユニット２０とは、配線挿通孔１３ｄを介した配線２２により電気的に接続されており、電源ユニット４０と人感センサユニット６０とは、配線挿通孔１３ｃを介した配線６２により電気的に接続されている。
【００６５】
その後、作業者は、電源ユニット４０を、開口５０ｋを介してスイッチボックス５０の内部５０ｉへと嵌入する。その結果、電源と電源ユニット４０との接続部は、内部５０ｉに位置する。
【００６６】
次いで、作業者は、図４〜図６に示すように閉状態の光源ユニット２０を、図１〜図３に示すように開位置へと開成し、基材１０に形成された４つのネジ挿通孔１２ａ〜１２ｄを、基材１０の前面から露出させる。
【００６７】
その後、作業者は、露出された各ネジ挿通孔１２ａ〜１２ｄを各ネジ孔５２ｈａ〜５２ｈｄに対向させ、さらに、各ネジ挿通孔１２ａ〜１２ｄにそれぞれネジ１６ａ〜１６ｄを挿通し、各ネジ１６ａ〜１６ｄをスイッチボックス５０のネジ孔５２ｈａ〜５２ｈｄにそれぞれ螺合させることにより、スイッチボックス５０に基材１０、即ち照明装置１を固定する。
【００６８】
次いで、作業者は、図１〜図３に示すように開状態の光源ユニット２０を、図１〜図３に示すように閉位置へと閉成する。この際、光源ユニット２０の他端２０ｆ側の背面に設けられたマグネット２９と、基材１０の他面１０ｂに設けられたマグネット１９とが磁力により引き合うため、光源ユニット２０が閉位置から意図せず開成してしまうことがない。
【００６９】
最後に、作業者は、基材１０及び閉状態の光源ユニット２０の前面及び外周面を覆うようカバー３０を被覆させ、その後、４つの貫通孔３０ｈを介して挿通した４つのネジ３７を、基材１０の４つのネジ孔１５ｈに螺合させることにより、カバー３０を基材１０に固定する。このようにして、照明装置１は組み立てられる。
【００７０】
このように、本実施の形態においては、基材１０の他面１０ｂに対して、４つのネジ挿通孔１２ａ〜１２ｄを囲む領域Ｒよりも大きな外形を有する光源ユニット２０が、ヒンジ１１により一端２０ｅが回動自在に軸支されることにより開閉自在になっていると示した。
【００７１】
また、基材１０に形成されたネジ挿通孔１２ａ〜１２ｄは、光源ユニット２０の開成により露出されると示した。
【００７２】
さらに、スイッチボックス５０への基材１０の固定は、内部５０ｉに電源ユニット４０を嵌入させた後、ネジ挿通孔１２ａ〜１２ｄを介してネジ孔５２ｈａ〜５２ｈｄにネジ１６ａ〜１６ｄを螺合させることのみにより行われると示した。
【００７３】
このことによれば、スイッチボックス５０よりも外形の大きな光源ユニット２０を、基材１０を介して、ネジ１６ａ〜１６ｄをネジ挿通孔１２ａ〜１２ｄに挿通し、ネジ孔５２ｈａ〜５２ｈｄに螺合させるのみの簡単な作業により容易に固定することができることから、作業者がスイッチボックス５０への照明装置１の固定作業が暗所であっても行いやすくなる。
【００７４】
また、光源ユニット２０は、配線挿通孔１３ｄを介した配線２２により事前に電源ユニット４０に電気的に接続されており、人感センサユニット６０は、配線挿通孔１３ｃを介した配線６２により事前に電源ユニット４０に電気的に接続されている。
【００７５】
このことから、スイッチボックス５０に照明装置１を固定する作業において、光源ユニット２０及び人感センサユニット６０を電源ユニット４０に電気的に接続する作業が無いことから作業性が向上する他、光源ユニット２０及び人感センサユニット６０と電源ユニット４０との接続部も外部に露出することが無いため、基材１０及び光源ユニット２０のどこに触れても感電することは無く、法律上の所定の電気絶縁性の基準を十分満たすことができ、安全基準を容易に確保することができる。さらに、このことにより、上述したように、基材１０に対する複数種類のカバーの交換を、感電することなく安全に行うことができる。
【００７６】
以上から、法律上定められた安全基準を満たした簡単な構成を有するとともに、容易に壁部７０のスイッチボックス５０に取り付けることのできる照明装置１を提供することができる。
【符号の説明】
【００７７】
１…照明装置
１０…基材
１０ａ…基材の一面
１０ｂ…基材の他面
１２ａ…ネジ挿通孔
１２ｂ…ネジ挿通孔
１２ｃ…ネジ挿通孔
１２ｄ…ネジ挿通孔
１３ａ…配線挿通孔
１３ｂ…配線挿通孔
１３ｃ…配線挿通孔
１３ｄ…配線挿通孔
１９…マグネット（固定部材）
２０…光源ユニット
２０ｅ…光源ユニットの一端
２０ｆ…光源ユニットの他端
２２…配線
２９…マグネット（固定部材）
４０…電源ユニット
５０…スイッチボックス
５２ｈａ…ネジ孔
５２ｈｂ…ネジ孔
５２ｈｃ…ネジ孔
５２ｈｄ…ネジ孔
６１…人感センサ
６２…配線
７０…壁部
Ｒ…ネジ挿通孔を囲む領域
【図１】
2015122215.tif 000003
【図２】
2015122215.tif 000004
【図３】
2015122215.tif 000005
【図４】
2015122215.tif 000006
【図５】
2015122215.tif 000007
【図６】
2015122215.tif 000008
【図７】
2015122215.tif 000009